(57)【要約】      （修正有）【課題】迅速な放熱効果を備え、簡易な製造工程、低製造コストの放熱器及び放熱部品を提供する。【解決手段】本放熱器及び放熱部品１０において、放熱器は、放熱部品と放熱部品に固着する上蓋２０と、放熱部品に固着する下蓋３０とを含む。該放熱部品は、環状周囲壁１１と、環状周囲壁の一外周面に一体成形した放熱片１２を備える。放熱部品と、上蓋、下蓋を固着後には、それらによって、冷却液体を任意に流動させる密閉式エリアが形成され、複数の放熱片を組み合わせて、迅速な放熱効果を達成する。また、複数の放熱片は外方向に延伸し間隔をあけて外周面に一体成形されるため、生産工程が簡易、迅速となり、製造コストも削減できる。【選択図】図１
0003173130.tif 000002
【実用新案登録請求の範囲】
【請求項１】
上端面、上端面と逆方向に設置する下端面、上端面と下端面に連接する外周面、及び上端面から下端面に貫通する複数の貫通孔とを備える環状周囲壁と、該環状周囲壁の外周面に一体成形し、外側に延伸し間隔をあけて配列する複数の放熱片とを備える放熱部品と、
該放熱部品の上端面に固着し、上端面との間に複数の貫通孔に繋がる上環状通路を形成する上蓋と、
該放熱部品の下端面に固着し、下蓋面との間に複数の貫通孔に繋がる下環状通路を形成する下蓋と、を含む放熱器。
【請求項２】
該複数の貫通孔、該上環状通路、該下環状通路が共に密閉式エリアを形成することを特徴とする請求項１記載の放熱器。
【請求項３】
上端面、上端面と逆方向に設置する下端面、上端面と下端面に連接する外周面、及び上端面から下端面に貫通する複数の貫通孔とを備える環状周囲壁と、
環状周囲壁の外周面に一体成形し、外側に延伸し間隔をあけて配列する複数の放熱片と、を含むことを特徴とする放熱部品。
【考案の詳細な説明】
【技術分野】
【０００１】
本考案は、迅速な放熱効果を備え、簡易な製造工程、低製造コストの放熱器及び放熱部品の提供に関する。
【背景技術】
【０００２】
有効な放熱器を提供して放熱することにより、電子機器作動時に発生する熱を効果的に導き排出させることが、電子機器を正常に作動させ、システム全体の安定性を維持するための重要な要素となった。
【０００３】
従来の放熱器は、導熱体と複数の放熱ファンを備え、該導熱体は発熱部材に接合して発生する熱を導き出し、複数の該放熱ファンは、相互に間隔をあけて配列したエアが流れる通路を用いて熱を排出させるものである。但し、この種の放熱器がエアの流動によって熱を排出させる熱伝導力には制限がある。
【０００４】
よって、本考案人は、前記の従来技術に対する改良である「内循環回路を備えた環状放熱器」を提出し、特許文献１を取得した。それは、環状本体、上封鎖蓋、下封鎖蓋を含み、該環状本体の環状壁周囲には軸方向に複数個の貫通孔を設け、各貫通孔の上端及び底端にはそれぞれ横方向通路を設け、該横方向通路は上下交錯して各貫通孔に繋がる。該上封鎖蓋は、環状本体の上部を密閉し、該下封鎖蓋は、環状本体の底部を密閉する。また、複数の貫通孔及び複数の横方向通路に密閉回路を形成させ、環状本体の外側エッジ面に少なくとも一枚の熱片を溶接し、冷却液体を密閉回路内で流動させ、少なくとも一枚の放熱片によって放熱効果を達成する。
【０００５】
前述の考案は、放熱効果を向上させるものであるが、少なくとも一枚の熱片及び環状本体は別々に成形製造した後に、放熱片を環状本体の外側エッジ面に溶接するため、生産工程が非常に煩雑で人力を費やし、製造コストも高く、密閉回路中での冷却液体の流動方向が一定経路に制限されるため、放熱効率は制限を受け、その効率も好ましくない。
【先行技術文献】
【特許文献】
【０００６】
【特許文献１】台湾実用新案第Ｍ４１１０９７号明細書
【考案の概要】
【考案が解決しようとする課題】
【０００７】
本考案は、迅速な放熱効果を備え、簡易な製造工程、低製造コストの放熱器及び放熱部品を提供することを目的とする。
【課題を解決するための手段】
【０００８】
上述目的を達成するために、本考案の放熱器には、放熱部品と上蓋と下蓋とを含む。該放熱部品は、環状周囲壁と複数の放熱片を備える。環状周囲壁には上端面と、上端面と逆方向に設置する下端面と、上端面と下端面に連接する外周面と、上端面から下端面に貫通する複数の貫通孔とを備える。複数の放熱片は、環状周囲壁の外周面に一体成形し、外側に延伸し間隔をあけて配列する。
【０００９】
上蓋は、放熱部品の上端面に固着し、上蓋と上端面間には、複数の貫通孔に繋がる上環状通路を形成する。
【００１０】
下蓋は、放熱部品の下端面に固着し、下蓋と下端面間には、複数の貫通孔に繋がる下環状通路を形成する。
【００１１】
上環状通路、複数の貫通孔、下環状通路は共に密閉式エリアを形成し、密閉式エリアには、放熱用の液体を注入し、液体は密閉式エリア内で任意に流動する。
【００１２】
前述目的を達成するために、本考案は、さらに放熱部品を提供する。
該放熱部品には環状周囲壁と複数の放熱片を備える。環状周囲壁には上端面と、上端面と逆方向に設置する下端面と、上端面と下端面に連接する外周面と、上端面から下端面に貫通する複数の貫通孔とを備える。複数の放熱片は、環状周囲壁の外周面に一体成形し、外側に延伸し間隔をあけて配列する。
【考案の効果】
【００１３】
前述の技術手段を用いた本考案の放熱器は次の長所と効果を備える。
冷却液体は密閉式エリア内で制限を受けずに任意に流動し、間隔をあけて配列した複数の放熱片によって形成される複数のエア通路が熱を逃がして放熱全体の効果を高める。さらに、複数の放熱片は、環状周囲壁の外周面に一体成形して外方向に延伸するため、生産工程は簡易、迅速、効果的に製造コストを下げることができる。
【図面の簡単な説明】
【００１４】
【図１】本考案の立体分解図である。
【図２】本考案の分解断面図である。
【図３】本考案の放熱部品の一平面図であり、環状周囲壁の一外周面に一体成形し延伸突出した複数の放熱片を示す。
【図４】本考案の組立断面図であり、上環状通路と複数の貫通孔と下環状通路とで共に形成した密閉式エリアを示す。
【図５】本考案における実施例の平面図であり、放熱器を垂直方式で発熱部材上に取り付けた状態を示す。
【図６】本考案における実施例の組立断面図であり、放熱器を横方向方式で発熱部材上に取り付けた状態を示す。
【図７】本考案における実施例の組立外観図であり、三つの放熱器を一緒に組み合わせて発熱部材上に取り付けた状態を示す。
【考案を実施するための形態】
【００１５】
本考案についての前述説明、その他の目的、特徴、及び進歩性を更にご理解戴く為に、次に、図面を参照とした好ましい実施例を挙げ、詳細説明をおこなう。
【００１６】
まず、図１、図２、図３に示すとおり、本考案の放熱器は、放熱部品１０と上蓋２０と下蓋３０とを含む。
【００１７】
放熱部品１０は環状周囲壁１１と複数の放熱片１２を備える。環状周囲壁１１には上端面１３と、上端面１３と逆方向に設置する下端面１４と、上端面１３と下端面１４に連接する外周面１５と、上端面１３から下端面１４に貫通する複数の貫通孔１６とを備える。複数の放熱片１２は、環状周囲壁１１の外周面１５に一体成形し、外側に延伸し間隔をあけて配列する。
【００１８】
上蓋２０は、放熱部品１０の上端面１３に固着し、上蓋２０と上端面１３間には、複数の貫通孔１６に繋がる上環状通路２１を形成する。
【００１９】
下蓋３０は、放熱部品１０の下端面１４に固着し、下蓋３０と下端面１４間には、複数の貫通孔１６に繋がる下環状通路３１を形成する。
【００２０】
図４及び図５に示すとおり、放熱部品１０と上蓋２０、下蓋３０を固着後、上環状通路２１、貫通孔１６、下環状通路３１は共に密閉式エリア４０を形成する。密閉式エリア４０は、放熱用の冷却液体（例として、水、冷媒。未図示）を注入するためのもので、冷却液体は密閉式エリア４０内で任意に流動する。また、放熱器は発熱部材５０上に取り付ける。発熱部材５０が作動し熱を発生させる時、間隔をあけて配列した複数の放熱片１２が形成する複数のエア通路によって熱は導き出される。冷却液体は密閉式エリア４０内で制限を受けないで任意に流動し、発熱部材５０の熱量を迅速に導いて放出するため、放熱全体の効果を高めることができる。
【００２１】
図５には、垂直方式で発熱部材５０上に取り付けた放熱器の放熱器を示す。また、図６は、本考案の放熱部品１０を発熱部材５０の形状及び所在位置に合わせて、横方向方式で発熱部材５０上に取り付けたもので、使用上に更なる敏捷性を与えている。
【００２２】
ここで特に説明すべき点であるが、本考案の放熱部品１０の複数の貫通孔１６は、環状周囲壁１１に設置している。しかし、本考案は、これによって制限されず、環状周囲壁１１は、その外形を三角形、四角形、五角形、多角形、或いはその他の形状に変化可能である。また、複数の貫通孔１６は、一環状を形成するように配列しているが、これもまた、本考案の一実施例を説明するために用いたもので、本考案はこれによって制限を受けず、複数個の貫通孔１６は、少なくとも二環状を配列する。図５及び図６に示した発熱部材５０上に取り付けた放熱器も前述と同様、本考案の一実施例の説明に用いたのみで、本考案を制限するものではなく、発熱部材５０には少なくとも二放熱器を取り付け可能である（図７参照）。
【００２３】
前述をまとめると、本考案には次のような進歩性が見られる。
（１）放熱部品１０の環状周囲壁１１と複数の放熱片１２は一体成形であるため、生産工程は簡易、迅速、大幅に製造コストを下げる。
（２）冷却液体は、複数の貫通孔１６、上環状通路２１、下環状通路３１によって形成された密閉式エリア４０内で制限を受けずに任意に流動する。尚且つ、間隔をあけて配列した複数の放熱片１２によって形成される複数のエア通路が熱量を逃がして放熱全体の効果を高め、好ましい熱伝導と迅速な放熱効果を達成する。
【００２４】
本考案について、好ましい実施例を用いて前述の如く開示したが、本考案は、これらによって制限を受けないものとする。本技術の熟知者が本考案の精神と範囲を逸脱せずに変化及び修飾を加えることは可能であるが、本考案の保護範囲は、後述する実用新案登録請求の範囲に基づき定義されるため、合法的同等価値のある物は、前述の説明に制限されることなく保護範囲に含まれるものとする。
【符号の説明】
【００２５】
１０  放熱部品
１１  環状周囲壁
１２  放熱片
１３  上端面
１４  下端面
１５  外周面
１６  貫通孔
２０  上蓋
２１  上環状通路
３０  下蓋
３１  下環状通路
４０  密閉式エリア
５０  発熱部材
【図１】
0003173130.tif 000003
【図２】
0003173130.tif 000004
【図３】
0003173130.tif 000005
【図４】
0003173130.tif 000006
【図５】
0003173130.tif 000007
【図６】
0003173130.tif 000008
【図７】
0003173130.tif 000009